(57)【特許請求の範囲】
【請求項１】
扉のような開閉部分を施錠する施錠機構の可動部分に取付けられる取付け部と、
前記取付け部に一方端部を繋がれた索条体と、
前記開閉部分を有する遊技機の外部に設置され、前記索条体の他方端部をロックもしくは移動可能にするロック機構部と、
を備えた前記施錠機構をロックするための施錠ロック装置において、
前記ロック機構部は、前記索条体の他方端部を保持し、かつ、前記索条体がロック機構部内に引き込まれ又は引き出される方向に移動できるスライダと、前記施錠機構の解錠される方向に前記スライダが動けないように前記スライダをロックするロック手段とをケース内に内蔵され、
前記スライダは、前記索条体の他方端部を索条体挿入穴に挿入され、外周面から前記索条体挿入穴に向けて螺入された固定ネジによって前記索条体を抜け止めされており、
前記固定ネジは、前記ケースに設けられた長孔からケースの外部に露出していることを特徴とする施錠ロック装置。
【請求項２】
前記スライダは、前記施錠機構の解錠される方向と反対向きに弾性的に付勢されていることを特徴とする、請求項１に記載の施錠ロック装置。
【請求項３】
前記ロック機構部は、前記スライダを移動させるための駆動手段を備えていることを特徴とする、請求項１に記載の施錠ロック装置。
【請求項４】
前記開閉部分が閉じられて所定時間が経過した後、前記駆動手段により、前記施錠機構が施錠される方向へ前記スライダを移動させるようにしたことを特徴とする、請求項３に記載の施錠ロック装置。
【請求項５】
前記取付け部は、前記施錠機構の可動部分に接着されていることを特徴とする、請求項１乃至４のいずれか１項に記載の施錠ロック装置。
【請求項６】
前記索条体はチューブ内に挿通され、当該チューブはその少なくとも一方端部を固定されていることを特徴とする、請求項１乃至５のいずれか１項に記載の施錠ロック装置。
【発明の詳細な説明】
【０００１】
【発明の属する技術分野】
本発明は、スロットマシンやパチンコ台等の遊技機に用いられる施錠ロック装置に関し、特に、後付けの可能な施錠ロック装置に関する。
【０００２】
【背景技術】
スロットマシンやパチンコ台等の遊技機は、主としてマシン本体と扉とから構成されており、例えばスロットマシンでは、遊技に関する制御を行なうための回路基板、払い出し用のコインを入れたホッパーなどがマシン本体内に収納され、表示部や遊技用ボタン、コインの受け皿などが扉に設けられている。扉は、マシン本体に蝶着されていて片開きとなっており、扉とマシン本体との間には、扉を閉じて施錠するための施錠機構が設けられている。従って、通常はキーが無ければ、遊技機の扉を開くことができない。
【０００３】
このような遊技機は、遊技店に複数台設置されているが、鍵穴に合い鍵を差して密かに施錠機構を解錠したり、扉とマシン本体との隙間から棒を差し込んで施錠機構の施錠レバーを動かしたりして扉を開かれることがあった。こうして扉が開かれると、コインが盗まれたり、内部の制御回路に細工を施したりされるので、その対策が必要とされている。
【０００４】
図１（ａ）に示すものは、遊技機内に設けられた施錠装置と、その施錠ロック装置の構造を示す図、図１（ｂ）は施錠機構と施錠ロック装置を正面側から見た概略図である。図１を参照すると、符号１は施錠機構を構成する施錠レバー、符号２は施錠機構を構成する係止部であって、施錠レバー１は遊技機の扉の内部に回動自在に取り付けられており、係止部２はマシン本体内に固定されている。そして、扉の外面には施錠機構を操作するための鍵穴が露出しており、鍵穴に差したキーで施錠レバー１を回して水平に倒すと、図１（ａ）に示すように施錠レバー１に設けられた鈎状のフック３が係止部２に引っ掛かり、扉を引いても扉が開かなくなる。こうして施錠された後は、その遊技機に適合したキーが無いと、解錠して扉を開くことはできない。
【０００５】
施錠ロック装置４は、電磁石５によって邪魔板６を水平に駆動して突出させたり、引っ込めたりする構造となっている。施錠ロック装置４は、係止部２にネジ止めされた取付金具７を用いてマシン本体内に取り付けられており、施錠レバー１と向かい合うように配置されている。施錠レバー１を水平に倒して係止部２に係合させた後、施錠ロック装置４を駆動して図１（ａ）（ｂ）に示すように邪魔板６を施錠レバー１の上面に向けて突出させると、施錠機構が二重にロックされる。よって、合い鍵などを用いて施錠レバー１を上方へ回動させようとしても、邪魔板６を引っ込めない限り、施錠レバー１を上方へ回動させることができず、扉を開くことができない。
【０００６】
【発明が解決しようとする課題】
しかしながら、遊技機の加工や細工には法令や条例による規制があるため、施錠ロック装置をマシン本体に直接取り付けたりすることは困難である。そのため、上記のように取付金具を用いて施錠ロック装置を係止部等にネジ止めしているが、遊技機の機種によって適合した取付金具が必要であるため、取付金具の種類が非常に多くなり、取付金具の在庫点数が多く、取付金具のコストも高くついていた。
【０００７】
また、施錠ロック装置を遊技機内部に取り付けなければならないので、遊技機内部における占有スペースが大きくなり、施錠ロック装置の設置に制約が生じ易かった。
【０００８】
また、この施錠ロック装置は、施錠ロック装置の上面に対向させて邪魔板を突出させるだけの構造であり、しかも、係止部等を挟みこむようにしてネジ止めされているだけであるため、確実性が低く、強い力で繰り返し施錠レバーが動かされると、取付金具が緩んだり、邪魔板が傾いたりして邪魔板が施錠レバーの上面に対向する位置から外れ、解錠してしまう恐れがあった。
【０００９】
本発明は上記の従来例の欠点に鑑みてなされたものであり、その目的とするところは、遊技台等への後付けが可能で、しかも、施錠効果の高い施錠ロック装置を提供することにある。
【００１０】
【発明の開示】
本発明は、扉のような開閉部分を施錠する施錠機構の可動部分に取付けられる取付け部と、前記取付け部に一方端部を繋がれた索条体と、前記開閉部分を有する遊技機の外部に設置され、前記索条体の他方端部をロックもしくは移動可能にするロック機構部を備えた前記施錠機構をロックするための施錠ロック装置において、前記ロック機構部は、前記索条体の他方端部を保持し、かつ、前記索条体がロック機構部内に引き込まれ又は引き出される方向に移動できるスライダと、前記施錠機構の解錠される方向に前記スライダが動けないように前記スライダをロックするロック手段とをケース内に内蔵され、前記スライダは、前記索条体の他方端部を索条体挿入穴に挿入され、外周面から前記索条体挿入穴に向けて螺入された固定ネジによって前記索条体を抜け止めされており、前記固定ネジは、前記ケースに設けられた長孔からケースの外部に露出しているものである。ここで、索条体とは、典型的には、ワイヤ、鎖、ナイロンテグスなどであるが、充分な強度と耐久性を有するものであればよい。取付け部を施錠機構の可動部分に取付ける方法としては、可能であればネジ止め、溶接、係止などでもよいが、接着剤や両面粘着テープ等を用いて接着する方法が後付け方法としてはもっとも簡便である。
【００１１】
このような施錠ロック装置によれば、ロック機構部のロック手段でスライダをロックすると、スライダが解錠方向に動けなくなるので、施錠機構も索条体を介して解錠されないようにロックされる。すなわち、ロックされた索条体で施錠機構のスライダを引っ張って施錠機構のスライダが解錠方向に動けないようにし、施錠機構をロックすることができ、施錠機構に錠が設けられているので、施錠機構を二重にロックすることができる。よって、本発明によれば、施錠ロック装置を施錠機構に後付けすることができ、簡単な構造の施錠ロック装置を付加するだけで施錠機構の信頼性を向上させることができる。また、索条体の他方端部は固定ネジによって前記スライダに固定されており、ケースには固定ネジを露出させるための長孔を設けているので、当該固定ネジは前記スライダの位置によらず、前記ロック機構の外面に露出しているので、なんらかの不具合によって万一施錠機構を解錠できなくなった場合には、長孔を通してケースの外部から固定ネジを緩めて索条体を外せば、施錠機構を解錠させることができる。
【００１２】
なお、施錠機構をロックする方法としては、索条体で引っ張る方法に限らず、ワイヤのように剛性の高いものであれば、索条体で押して施錠機構をロックすることも可能である。
【００１３】
また、索条体をチューブ内に挿通し、チューブの少なくとも一方端部を固定しておけば、索条体はチューブによって保形され、索条体を引いたり、押したりしても索条体がピント張ったり、大きく折れ曲がったりすることがない。よって、索条体が遊技機等の内部構造に干渉することがなく、しかも、遊技機等の内部の空いている空間を利用して施錠ロック装置を配設することができ、汎用性が高くなる。
【００１４】
このような施錠ロック装置の具体的な実施形態としては、前記スライダを、前記施錠機構の解錠される方向と反対向きに弾性的に付勢しておけば、施錠機構が施錠されたとき、索条体は施錠時の移動方向に付勢されるので、手で索条体を引いたり、押したりする必要が無くなる。尚、スライダを付勢する方法としては、バネを用いる方法が最も簡単であり、耐久性もある。
【００１５】
また、施錠ロック装置の具体的な別の実施形態としては、前記ロック機構部が前記スライダを移動させるための駆動手段を備えたものがある。このような施錠ロック装置では、モータ等を用いた駆動手段によって索条体を引いたり、押したりすることができ、確実に施錠機構をロックしたり、ロック解除したりすることができる。
【００１６】
また、このような実施形態では、前記開閉部分が閉じられて所定時間が経過した後、前記駆動手段により、前記施錠機構が施錠される方向へ前記スライダを移動させるようにすれば、施錠忘れを防ぐことができる。
【００１８】
【発明の実施の形態】
（第１の実施形態）
図２は遊技機の一例として示すスロットマシン１１の概略側面図である。スロットマシン１１は、遊技に関する制御を行なうための回路基板、払い出し用のコインを入れたホッパーなどを収納したマシン本体１２と、表示部や遊技用ボタン、コインの受け皿などが設けられた扉１３とから構成されている。扉１３は、マシン本体１２に蝶着されていて片開きとなっている。扉１３とマシン本体１２との間は、施錠機構によって施錠できるようになっており、扉１３の正面にはキー１４ｂを差して施錠機構を施錠又は解錠するための鍵穴１４ａが設けられている。
【００１９】
図３は上記スロットマシンの内部に設けられた施錠機構１５の構造を説明する図である。符号１６は、マシン本体１２内の上部及び下部に固定された金属製の係止部１７に引っ掛けて扉１３を施錠するための施錠レバーであって、先端部には、係止部１７に引っ掛けて施錠するための鈎状をしたフック１８が設けられている。施錠レバー１６は、係止部１７に対向させるようにして扉１３の内部の取付面１９（例えば、扉１３の内部に設けられた金属製フレーム）の上下に取り付けられており、回転軸２０によって中央部を回動自在に枢支されている。また、上下の施錠レバー１６の基端部は、それぞれピン２１によってリンク棒２２の端部に回動自在に結合されており、上下の施錠レバー１６はリンク棒２２によってリンク結合されている。
【００２０】
上下の施錠レバー１６は、扉１３の正面の鍵穴１４ａにキー１４ｂを差して回すことにより、互いに連動して回転させられるようになっている。よって、扉１３を閉めた後、鍵穴１４ａに差したキー１４ｂを回して上下の施錠レバー１６を水平位置まで回すと、施錠レバー１６のフック１８が係止部１７に引っ掛かって扉１３とマシン本体１２の間が施錠され、扉１３を開くことができなくなる。逆に、鍵穴１４ａに差したキー１４ｂを回して上下の施錠レバー１６のフック１８を係止部１７から外すと、扉１３とマシン本体１２の間が解錠され、扉１３を開くことが可能になる。
【００２１】
図４（ａ）は上記施錠機構１５を二重にロックするための施錠ロック装置２３を示す平面図である。この施錠ロック装置２３は、ロック機構部５７と取付用片６１とをワイヤ２９によって連結したものである。図４（ｂ）は、一方側面の蓋２５を外してロック機構部５７の内部構造を示す側面図である。この施錠ロック装置２３の構造を説明する。ケース２４は一方側面が開口した箱状をしており、ケース２４の側面開口は板状をした蓋２５によって塞がれる。ケース２４内には、図５又は図６に示すようなスライダ２６とアクチュエータ２７とが内蔵されている。図５はスライダ２６とアクチュエータ２７を示す斜視図であって、スライダ２６は下面を上にして描かれている。また、図６はスライダ２６の断面と、アクチュエータ２７の内部構造を表わしている。スライダ２６は角柱状をしており、その下面には前後方向にわたって複数の係止爪２８が一定ピッチ毎に配列されている。各係止爪２８は断面直角三角形状をしており、係止爪２８の前面はスライダ２６の下面に垂直な面となり、係止爪２８の背面はスライダ２６の下面に対して傾斜した面となっている。スライダ２６の中心には、ワイヤ２９の端を挿入するためのワイヤ挿入穴３０がその長さ方向に沿って設けられており、ワイヤ挿入穴３０の前端部は大きな開口径となるように広げられていてバネ受け部３１となっている。また、スライダ２６の上面にはワイヤ挿入穴３０に達するように複数の雌ネジ穴３２が設けられており、雌ネジ穴３２には頭の無いワイヤ固定ネジ３３が螺合させられており、このワイヤ固定ネジ３３の上面には図７に示すように六角柱状の凹部３４が設けられている。
【００２２】
アクチュエータ２７は、箱体３５ａと側面蓋３５ｂとからなる中空のケーシング３５内に電磁石３６によって駆動されるロック爪３７を設けたものである。すなわち、図６に示すように、電磁石３６はコイル３８を巻かれたボビン３９の中心にコア（鉄心）４０を挿通させ、ボビン３９の側面にヨーク４１を設けたものである。コア４０の端面に対向する位置には吸着片４２が設けられており、吸着片４２は薄板バネ４３を介してヨーク４１に蝶番状に接続され、基端部を中心として回動できるようになっている。さらに、吸着片４２にはロック用プレート４４の基端部が固定されており、ロック用プレート４４の先端には上面側へ立ち上がったロック爪３７が設けられている。電磁石３６はケーシング３５内に固定されており、ロック爪３７はケーシング３５の上面に開口された窓４５から突出するようになっている。さらに、電磁石３６のコイル３８に電流を供給するためのコード４６がケーシング３５のコード引出孔４７ｂから外部へ引き出されており、コード４６の先にはコネクタ４８が設けられている。しかして、コード４６を通じて電磁石３６に電流を供給して電磁石３６を励磁すると、吸着片４２がコア４０に吸着されて下方に下がり、ロック爪３７がケーシング３５内に引っ込む。逆に、電流をオフにして電磁石３６を消磁すると、薄板バネ４３の弾性力によって吸着片４２及びロック用プレート４４が上方へ復帰し、ロック爪３７が窓４５から突出する。
【００２３】
また、アクチュエータ２７のケーシング３５の上面両側部にはそれぞれガイド部４９が立設されている。アクチュエータ２７はケース２４内に納められ、固定用片５０をケース２４の内面に突設された突起で熱かしめすることによって固定される。スライダ２６は、アクチュエータ２７の上面とケース２４の内面との間に挟みこむようにしてケース２４内に納められ、スライダ２６の下部は図８に示すようにガイド部４９間に挟まれており、スライダ２６はガイド部４９間に沿って前後に摺動可能となっている。なお、スライダ２６の下面両側部には脚５１が突出していて、係止爪２８が脚５１よりも突出しないようにしており、それによって係止爪２８がケーシング３５と摩擦して摩耗するのを防止している。こうしてケーシング３５内に組み込まれた状態では、アクチュエータ２７のロック爪３７がスライダ２６の係止爪２８に対向しており、突出したロック爪３７が係止爪２８に引っ掛かるようになっている。
【００２４】
図９はロック機構部５７の断面図を表わしている。ロック機構部５７の箱体３５ａの前端部に設けられた孔には雌ネジ部品５２がはめ込まれており、雌ネジ部品５２には中心に貫通孔５３を開けられたバネ調整ネジ５４が挿通されており、雌ネジ部品５２の雌ネジとバネ調整ネジ５４の雄ネジとが螺合されている。バネ調整ネジ５４のつまみ（頭部）には、ローレット加工を施している。また、箱体３５ａの後端部に設けられた孔には雌ネジ部品５５がはめ込まれており、雌ネジ部品５５には停止位置調整ネジ５６が螺合されている。バネ調整ネジ５４の貫通孔５３に挿通された金属製ワイヤ２９の端部は、スライダ２６のワイヤ挿入穴３０に挿入され、ワイヤ２９にワイヤ固定ネジ３３を締め付けることによってワイヤ２９の端部をスライダ２６に固定している。さらに、バネ調整ネジ５４の先端とスライダ２６のバネ受け部３１との間には圧縮バネ５８が張設されており、スライダ２６は圧縮バネ５８の弾性力によって後方へ付勢され、ワイヤ２９も後方へ引っ張られている。ワイヤ２９を引っ張る力は、バネ調整ネジ５４を回すことにより調節することができる。一方、ロック爪３７が突出して係止爪２８がロック爪３７に係合している状態では、スライダ２６は前方へは移動することができない。また、スライダ２６が後方へ移動したとき、スライダ２６の後端面は停止位置調整ネジ５６の先端に当接するようになっているので、後方へ付勢されたスライダ２６の停止位置は、停止位置調整ネジ５６を回して調整することができる。
【００２５】
ケース２４の上面には、長孔５９が開口されている。スライダ２６の位置によらず、長孔５９からはスライダ２６のワイヤ固定ネジ３３が露出するようになっているので、長孔５９を通してワイヤ固定ネジ３３を六角レンチ等で回すことにより、ロック機構部５７を分解することなく、ワイヤ２９にワイヤ固定ネジ３３を締め付けたり、ワイヤ２９をスライダ２６から解放させたりすることができる。また、アクチュエータ２７のコード４６はケース２４に設けられたコード引出孔４７ａから外部に引き出されており、コード４６の先端にはコネクタ４８が設けられている。
【００２６】
一端をスライダ２６に連結されたワイヤ２９は、図４に示すように、ワイヤチューブ６０内に挿通されており、ワイヤ２９の他端はワイヤチューブ６０の外部で羽子板状をした取付用片６１に溶接又はハンダ付けされている。ワイヤ２９と取付用片６１とを溶接又はハンダ付けした部分を図４で符号６２により示す。また、ワイヤチューブ６０の、取付用片６１側の端には、チューブ固定金具６３が設けられている。
【００２７】
次に、上記施錠ロック装置２３の取り付け方法を説明する。まず、図３に示すように、ワイヤチューブ６０のチューブ固定金具６３を、扉１３内（好ましくは、施錠機構１５の近傍）にビス６４で取り付ける。チューブ固定金具６３を扉１３に取り付けるにあたっては、遊技機に関する法令や条例に触れないよう、例えば当初より遊技機に設けられているネジ孔などを利用してビス６４で取り付ける。ついで、取付用片６１を施錠レバー１６又は施錠レバー１６と連動して動く部材に取り付ける。図３の実施形態では、リンク棒２２に取付用片６１を取り付けている。取付用片６１を取り付ける際にも、遊技機に関する法令や条例を考慮して取り付ける。例えば、この実施形態では、強力な接着剤を用いてリンク棒２２に接着している。
【００２８】
取付用片６１を取付ける際には、取付用片６１とチューブ固定金具６３の取付け位置に注意する必要がある。すなわち、施錠レバー１６のフック１８が係止部１７に引っ掛かって施錠される方向へ施錠機構１５を操作したとき、ワイヤ２９がワイヤチューブ６０内に入り、逆に、施錠レバー１６のフック１８を係止部１７から外して解錠する方向へ施錠機構１５を操作したとき、ワイヤ２９がワイヤチューブ６０から引き出されるような配置としておく。スロットマシン１１の内部における取付け作業はこれだけで済み、ワイヤ２９の他端に接続されているロック機構部５７は、図２に示すように、スロットマシン１１の上面の幕板６５の背後に設置される。さらに、幕板６５の背後には駆動ユニット６６も設置され、ロック機構部５７のコネクタ４８は駆動ユニット６６に接続される。よって、リモコン６７から駆動ユニット６６に信号を送ることにより、施錠ロック装置２３を操作することができる。
【００２９】
図１０は施錠ロック装置２３の電気的構成を示すブロック図である。この施錠ロック装置２３は、電波式の無線リモコン６７と、リモコン６７からの信号を受信してロック機構部５７を制御する駆動ユニット６６を備えている。駆動ユニット６６は、リモコン６７からの信号を受信する受信回路６８と、受信した信号を判別する判定回路６９と、判定回路６９における判定結果に応じてロック機構部５７の電磁石３６を駆動する駆動回路７０とを備えている。しかして、リモコン６７からの送信信号を受信回路６８によって受信した駆動ユニット６６は、、判定回路６９によりその信号が当該スロットマシン１１に対する信号であるか否かを判別し、当該スロットマシン１１に対する信号であれば、その信号に含まれる制御内容に応じて駆動回路７０から電磁石３６に供給している電流をオフ又はオンに切り換え、ロック機構部５７を施錠状態又は解錠状態にする。
【００３０】
なお、リモコン６７は、ロック機構部５７を駆動させる際に、ダミー信号を駆動ユニット６６に送信するようにしてもよい。例えば、リモコン６７を操作すると、３回信号を送信し、１回目及び２回目の信号がダミー信号で、３回目の信号が正しい信号を送信するようにしてもよい。これにより、駆動ユニット６６の受信回路６８は、ダミー信号を受信中は応答せず、正しい信号を受信したときに信号の適否を判定回路６９によって判定し、駆動回路７０をオン又はオフに切り換える。したがって、不正な送信手段を使って施錠ロック装置２３を解除しようとしても駆動ユニット６６が応答せず（例えば、コピー機能を有する送信機等を用いてもダミー信号がコピーされるだけであるので、駆動ユニット６６は応答しない。）、施錠ロック装置２３を解錠することが困難になり、スロットマシン１１の安全性が高まる。
【００３１】
次に、駆動ユニット６６における処理動作を図１１のフローチャートにより説明する。扉１３は始めに施錠状態になっていると仮定する。まず、駆動ユニット６６の電源をオンにすると（ステップＳ１）、駆動ユニット６６内の回路が初期化される（ステップＳ２）。そして駆動ユニット６６は、リモコン６７からロック解除信号を受信するまで待機状態となる（ステップＳ３）。
【００３２】
ここで、扉１３を開けるためには、リモコン６７を携帯している者（例えば、遊技店の従業者）がリモコン６７の「開」ボタンを操作してロック解除信号を駆動ユニット６６へ送信する。駆動ユニット６６では、リモコン６７からのロック解除信号を受信回路６８で受信すると（ステップＳ３）、判定回路６９はロック解除信号に含まれるＩＤ（識別子）を取り出してスロットマシン１１のＩＤと一致するか否かを判定する（ステップＳ４）。ＩＤが一致すると判定されると、駆動回路７０は電磁石３６をオンにして励磁する（ステップＳ５）。
【００３３】
これにより、ロック機構部５７においては、吸着片４２が電磁石６０に吸着されてロック爪３７が引っ込み、ロック爪３７がスライダ２６の係止爪２８から外れるので、スライダ２６がアクチュエータ２７内で自由に動けるようになり、ロックが解除される。
【００３４】
また、扉１３を閉じて施錠機構１５を施錠した後、リモコン６７の「閉」ボタンを操作してロック信号を駆動ユニット６６へ送信すると、受信回路６８はリモコン６７からのロック信号を受信し（ステップＳ６）、判定回路６９はロック信号に含まれるＩＤを取り出してスロットマシン１１のＩＤと一致するか否かを判定する（ステップＳ７）。ＩＤ一致と判定されると、駆動回路７０は電磁石３６をオフにして消磁する（ステップＳ８）。
【００３５】
これにより、ロック機構部５７においては、吸着片４２が電磁石６０から解放されてロック爪３７が飛び出し、ロック爪３７がスライダ２６の係止爪２８に係止するので、スライダ２６は前方へは移動できなくなり、ワイヤ２９を引き出せなくなる。
【００３６】
上記のような施錠ロック装置２３を備えたスロットマシン１１では、以下に説明するようにしてスロットマシン１１の扉を開いたり、閉じて施錠したりすることができる。まず、施錠状態を説明しておく。スロットマシン１１が施錠されている状態では、図３に示すように、リンク棒２２が下方に下がっていて施錠レバー１６のフック１８が係止部１７に引っ掛かってロックされており、鍵穴１４ａもキー１４ｂによって施錠位置にセットされている。一方、施錠ロック装置２３のロック機構部５７では、図９に示すように、圧縮バネ５８の弾性力によってスライダ２６が後方へ押し下げられていてワイヤ２９を強く引き込んでいる。しかも、電磁石３６が消磁されていてロック爪３７が突出しているので、ロック爪３７が係止爪２８に係合してスライダ２６をロックしており、強い力でワイヤ２９をロック機構部５７から引き出そうとしても引き出すことができない。従って、例えば鍵穴１４ａに合い鍵を差して施錠レバー１６を回そうとしたり、マシン本体１２と扉１３の隙間から棒などを差し込んで施錠レバー１６を動かそうとしても、リンク棒２２がワイヤ２９により強い力で引き下げられているので、リンク棒２２を上方へ動かすことができず、施錠機構１５を解錠することができない。
【００３７】
次に、扉１３を開く場合には、まずリモコン６７を操作して駆動ユニット６６にロック解除信号を送る。リモコン６７からロック解除信号を送ると、ＩＤを確認した後、図１２に示すように、アクチュエータ２７のロック爪３７が引っ込められ、スライダ２６のロックが解錠されるので、ワイヤ２９を引き出すことが可能になる。よって、鍵穴１４ａにキー１４ｂを差して施錠レバー１６の解錠方向へ回すと、ワイヤ２９をワイヤチューブ６０から引き出すようにしてリンク棒２２が上方へスライドし、施錠レバー１６が係止部１７から外れる。従って、扉１３を引くと、スロットマシン１１の扉１３が開かれる。
【００３８】
反対に、扉１３を閉じて施錠する場合には、扉をきっちりと閉じ、鍵穴１４ａに差したキー１４ｂを施錠方向へ回し、施錠レバー１６のフック１８を係止部１７に引っ掛けて施錠する。このときリンク棒２２が下方へ下がり、ワイヤ２９を上に引っ張っていた力が無くなるので、スライダ２６は圧縮バネ５８の弾性力によって後方へ引き込まれ、それによってワイヤ２９もロック機構部５７内に引き込まれ、リンク棒２２もワイヤ２９を介して圧縮バネ５８の弾性力によって下方へ引っ張られる。ついで、リモコン６７を操作して駆動ユニット６６にロック信号を送ると、駆動ユニット６６でＩＤを確認した後に電磁石３６が消磁され、アクチュエータ２７のロック爪３７が飛び出してスライダ２６の係止爪２８に係合し、スライダ２６がロックされる。よって、ワイヤ２９を引き出すことができなくなるので、施錠ロック装置２３はもとの施錠状態となる。
【００３９】
なお、ロック爪３７が突出していて係止爪２８に係合している状態で、係止爪２８の前面がロック爪３７に強く圧接していると、吸着片４２を電磁石３６で吸着してもロック爪３７が下方へ引っ込むことができず、ロック機構部５７をロック解除できなくなる恐れがある。そのような場合には、停止位置調整ネジ５６を調整して停止位置調整ネジ５６でスライダ２６の後端面を押し、ロック時のスライダ２６の位置で係止爪２８がロック爪３７に触れないようにしておけばよい。
【００４０】
また、何らかの故障（例えば、駆動ユニット６６の故障など）によって、施錠ロック装置２３のロックを解錠できなくなった非常時には、スロットマシン１１の裏側から、あるいは幕板６５を開いて、スロットマシン１１の上に設置されているロック機構部５７を見つけ、六角レンチ等を用いてワイヤ固定ネジ３３を緩め、ワイヤ２９をスライダ２６から解放すればよい。
【００４１】
また、この実施形態では、ワイヤ２９をワイヤチューブ６０内に通しているので、リンク棒２２等に固定された取付用片６１とワイヤチューブ６０の端のチューブ固定金具６３の固定されている位置とが近く、好ましくはその間でワイヤ２９がほぼ真っ直ぐに張られていればよく、ワイヤ２９の通っているワイヤチューブ６０は自由に曲げて配線することができる。よって、ワイヤ２９及びワイヤチューブ６０をスロットマシン１１内の空き空間に自由に配設することができる。逆に言うと、取付用片６１とロック機構部５７との間にワイヤ２９をほぼ真っ直ぐに張ることができるような場合には、ワイヤチューブ６０は無くても差し支えない。
【００４２】
（第２の実施形態）
図１３は本発明の別な実施形態による施錠ロック装置７１の構造を示す側面図（蓋２５を除いている。）、図１４はそのロック機構部５７の上部を示す一部破断した断面図である。この施錠ロック装置７１のロック機構部５７にあっては、図１４に示すように、スライダ２６の両側面ケース２４及び蓋２５の内側面にそれぞれガイドレール７２が設けられており、スライダ２６の両側面には当該ガイドレール７２がはまり込むガイド溝８５が全長にわたって凹設されており、スライダ２６はガイドレール７２によってガイドされながら前後方向にスライドできるようになっている。このスライダ２６のワイヤ挿入穴３０内には、ケース２４の貫通孔７４を通したワイヤ２９が挿入されており、ワイヤ固定ネジ３３によってワイヤ２９はスライダ２６に固定されている。
【００４３】
また、スライダ２６の下方において、ケース２４内にはスライダ２６の摺動方向と平行にネジ軸７５が配設されており、ネジ軸７５を回転自在に支持する軸受け７６、７７、７８がケース２４に保持されており、ネジ軸７５は回転自在に保持されている。金属製の駆動子８０には雌ネジ８６が設けられており、この雌ネジ８６をネジ軸７５に螺合させることによってネジ軸７５に駆動子８０が取付けられている。従って、ネジ軸７５を回転させることにより駆動子８０を前後方向に駆動することができる。スライダ２６の下面には凹部７３が設けられており、駆動子８０の上面に設けられた凸部８１が凹部７３内に嵌合しているので、駆動子８０が前後に移動させられると、駆動子８０と一緒にスライダ２６も前後に移動する。
【００４４】
上記ネジ軸７５の端部には、従動ギア７９が固定されている。ケース２４内の下部にはモータ８２が設置されており、モータ８２のコード４６はケース２４のコード引出孔４７ａから外部へ引き出されている。モータ８２の出力軸には減速機８３が接続され、減速機８３の出力軸にはギア８４が固定されており、ギア８４は従動ギア７９に噛み合わせられている。よって、モータ８２を駆動して減速機８３を介してギア８４を低速回転させると、ギア８４と従動ギア７９との噛み合わせを通してネジ軸７５がゆっくりと回転し、モータ８２の回転方向に応じて駆動子８０及びスライダ２６が前方又は後方へ移動させられ、それによってワイヤ２９がロック機構部５７から押し出されたり、引き込まれたりする。尚、この施錠ロック装置７１も駆動ユニット６６を通してリモコン６７によって操作される。
【００４５】
このような施錠ロック装置７１を備えたスロットマシン１１では、以下に説明するようにしてスロットマシン１１の扉を開いたり、閉じて施錠したりすることができる。まず、施錠されているスロットマシン１１の扉１３を開く場合には、リモコン６７を操作して駆動ユニット６６にロック解除信号を送る。リモコン６７からロック解除信号を送ると、ＩＤを確認した後、駆動回路７０によってモータ８２が回転駆動される。モータ８２を回転させると、減速機８３やギア８４、従動ギア７９等を介してネジ軸７５が回転させられ、それによって後方に後退していた駆動子８０及びスライダ２６が前進させられ、その結果ワイヤ２９が弛む。よって、鍵穴１４ａにキー１４ｂを差して施錠レバー１６の解錠方向へ回すと、リンク棒２２が上方へスライドし、施錠レバー１６が係止部１７から外れる。従って、扉１３を引くと、スロットマシン１１の扉１３が開かれる。
【００４６】
反対に、扉１３を閉じて施錠する場合には、扉をきっちりと閉じ、鍵穴１４ａに差したキー１４ｂを施錠方向へ回し、施錠レバー１６のフック１８を係止部１７に引っ掛けて施錠する。このときリンク棒２２が下方へ下がり、ワイヤ２９が弛む。ついで、リモコン６７を操作して駆動ユニット６６にロック信号を送ると、駆動ユニット６６でＩＤを確認した後、モータ８２が逆回転させられ、ネジ軸７５の回転によって駆動子８０及びスライダ２６が後方へ移動させられ、弛んでいたワイヤ２９が強く張られる。よって、ワイヤ２９を引き出すことができなくなるので、施錠ロック装置２３はキー１４ｂ等を用いても解錠できなくなる。
【００４７】
このような実施形態では、減速機８３やギア７９、８４の歯車比を大きくしておき、モータ８２も力の強いものを用いることにより、鍵穴１４ａに差したキー１４ｂを強く回してもワイヤ２９が弛むことがなく、またワイヤ２９を強く閉め込むことができ、無理に解錠させることもできなくなる。また、モータ８２でワイヤ２９を強制的に引っ張って施錠するので、施錠時の信頼性も向上する。更に、キー１４ｂを回して施錠したとき、フック１８が確実に係止部１７に引っ掛かっていない場合でも、ワイヤ２９を引いて施錠することによりフック１８を係止部１７に確実に係止させることができ、一層信頼性が向上する。
【００４８】
また、モータ８２を用いれば、図１５のフロー図のステップＳ９に示すように、リミットスイッチ等で扉１３が閉じたことを検知し、扉１３を閉じて一定時間が経過したらモータ８２を駆動して強敵に施錠することができ、施錠忘れを防止することができる。
【００４９】
また、モータ８２を駆動してワイヤ２９を引き込むとき、最初の短時間の間はモータ８２を高速回転させてワイヤ２９を速く引っ張り、ついで、モータを低速回転させて強い力でワイヤ２９を引き込むようにしてもよい。
【００５０】
（第３の実施形態）
図１６（ａ）は本発明のさらに別な実施形態であって、取付用片６１のリンク棒２２への別な取付け方法を示している。この実施形態に用いられる施錠ロック装置２３では、図１６（ｂ）に示すように、取付用片６１に孔状やフック状等の引っ掛け部９１が設けられており、この引っ掛け部９１をリンク棒２２や施錠レバー１６等に設けられた突起や爪に引っ掛けるようにしている。例えば、図１６（ａ）に示す施錠機構１５では、リンク棒２２に設けられた引っ掛け爪９２と取付面１９に設けられた引っ掛け爪９３とにそれぞれ引張バネ９４の両端の鈎部９５、９６を引っ掛けて、リンク棒２２と取付面１９の間に引張バネ９４を張ってリンク棒２２を下方へ付勢している。そこで、取付用片６１の引っ掛け部９１を利用してリンク棒２２の引っ掛け爪９２に取付用片６１を取付け、ワイヤ２９でリンク棒２２を下方へ引っ張れるようにしている。このような形態によれば、簡単かつ確実に取付用片６１を取付けることができる。
【００５１】
（第４の実施形態）
図１７（ａ）は本発明のさらに別な実施形態であって、取付用片６１のリンク棒２２へのさらに別な取付け方法を示している。この実施形態では、図１７（ｂ）に示すように、二つ折りに屈曲された止め金具９７を用いている。止め金具９７の対向する２つの片の間には、リンク棒２２及び取付用片６１を重ねたものを挿入できるだけの隙間が多少の余裕を持たせて形成されている。また、一方の片には複数の雌ネジ孔９８が設けられており、雌ネジ孔９８にはビス９９が螺合されている。
【００５２】
しかして、取付用片６１の取付けに当たって、まずリンク棒２２の所定箇所に両面粘着テープ等を用いて取付用片６１を仮止めする。ついで、リンク棒２２及び取付用片６１を挟むようにして止め金具９７を取付け、ビス９９を締め込むことによって雌ネジ孔９８の先端と止め金具９７の他方の片との間にリンク棒２２と取付用片６１を挟持させ、それによって取付用片６１をリンク棒２２にしっかりと固定している。なお、取付用片６１に引っ掛け部９１が開口されている場合には、一方のビス９９は取付用片６１に締め付けて押え、他方のビス９９は図１７（ｂ）に示すように取付用片６１の引っ掛け部９１に通してリンク棒２２に締め付けるようにすれば、取付用片６１ががたつくこともなく、取付用片６１が抜けてしまうこともなく、確実に取付用片６１を取付けられるようになる。
【００５３】
（その他の事項）
ワイヤ２９が剛性の高いもので弛みにくいものである場合には、キー１４ｂによる施錠、解錠が行えなくなる恐れもある。しかし、スロットマシン１１の施錠機構１５では、一般に、施錠レバー１６の位置がキー１４ｂの状態に対して遊びをもっている。例えば、キー１４ｂを施錠位置に回すと、施錠レバー１６が回ってフック１８が係止部１７に係合するが、この係合状態はリンク棒２２及び施錠レバー１６をバネによって付勢することで行なっているものがある。このようなスロットマシン１１では、鍵穴１４ａが施錠状態になったままでも、扉１３の内側から施錠レバー１６に力を加えると、バネの弾性のためにリンク棒２２や施錠レバー１６が解錠状態に動くものがある（もちろん、力を除けば、バネにより施錠レバー１６は再び係止部１７に係合する。）。従って、ワイヤ２９が弛まない場合には、キー１４ｂによる施錠、解錠は利かなくなるが、施錠ロック装置７１により施錠、解錠できるので問題はない。
【００５４】
なおまた、索条体として上記実施形態ではワイヤを用いたが、索条体の種類はこれに限るものでなく、ナイロンテグスのような樹脂製の糸、鎖、その他、引っ張り作用可能なものを用いてもよい。また、上記実施形態では、索条体を引いてロック状態としたが、ワイヤのように剛性が高くて座屈しにくいものであれば、索状態を押し出した状態でロック状態とすることも可能である。
【００５５】
【発明の効果】
上記実施形態の説明から明らかなように、本発明の施錠ロック装置は、スロットマシンやパチンコ台等の遊技機等の施錠機構に後から容易に付加することができ、それによって不用意に施錠機構が解錠されるのを防止することができる。しかも、ワイヤ等の索条体で取付け部とロック機構部を繋いでいるので、遊技機内の狭い空間を利用して施錠ロック装置を取付けることができ、遊技機の構造にかかわりなく用いることができて汎用性が高く、かつ、信頼性の高い施錠ロック装置を提供することができる。
【図面の簡単な説明】
【図１】（ａ）は従来の施錠ロック装置の構造を示す一部破断した側面図、（ｂ）は当該施錠ロック装置を正面側から見た模式図である。
【図２】本発明による施錠ロック装置を備えたスロットマシンの側面図である。
【図３】同上のスロットマシン内に設けられている施錠機構の構造を示す図である。
【図４】（ａ）は本発明の一実施形態による施錠ロック装置の平面図、（ｂ）はそのロック機構部の一部分解した側面図である。
【図５】同上のロック機構部内に納められているスライダ（下面を上にして示している。）とアクチュエータの斜視図である。
【図６】同上のスライダの断面と同上のアクチュエータの内部の構造を示す図である。
【図７】ワイヤ固定ネジの平面図である。
【図８】アクチュエータのケーシング上に配置されたスライダの正面図である。
【図９】図４（ｂ）のロック機構部の断面図である。
【図１０】同上の施錠ロック装置の電気的構成を示すブロック図である。
【図１１】同上の施錠ロック装置における駆動ユニットの動作を説明するフロー図である。
【図１２】スライダがロック解除されたロック機構部を示す断面図である。
【図１３】本発明の別な実施形態による施錠ロック装置の内部構造を示す一部破断した図である。
【図１４】同上の施錠ロック装置を構成するロック機構部の一部を拡大して示す断面図である。
【図１５】同上の施錠ロック装置における駆動ユニットの動作を説明するフロー図である。
【図１６】（ａ）（ｂ）は本発明のさらに別な実施形態における取付用片の取付け方法を説明する図である。
【図１７】（ａ）（ｂ）は本発明のさらに別な実施形態における取付用片の取付け方法を説明する図である。
【符号の説明】
１３  扉
１４ａ  鍵穴
１４ｂ  キー
１５  施錠機構
１６  施錠レバー
１７  係止部
２２  リンク棒
２３  施錠ロック装置
２６  スライダ
２７  アクチュエータ
２８  係止爪
２９  ワイヤ
３６  電磁石
３７  ロック爪
５７  ロック機構部
６０  ワイヤチューブ
６１  取付用片
６３  チューブ固定金具
６６  駆動ユニット
６７  リモコン
８０  駆動子
８２  モータ
８３  減速機
【図１】
0003757182.tif 000002
【図２】
0003757182.tif 000003
【図３】
0003757182.tif 000004
【図４】
0003757182.tif 000005
【図５】
0003757182.tif 000006
【図６】
0003757182.tif 000007
【図７】
0003757182.tif 000008
【図８】
0003757182.tif 000009
【図９】
0003757182.tif 000010
【図１０】
0003757182.tif 000011
【図１１】
0003757182.tif 000012
【図１２】
0003757182.tif 000013
【図１３】
0003757182.tif 000014
【図１４】
0003757182.tif 000015
【図１５】
0003757182.tif 000016
【図１６】
0003757182.tif 000017
【図１７】
0003757182.tif 000018